(57)【要約】【課題】  収納具に収納された食事用具が傾斜状態となるようにする。【解決手段】  左の側部４７ａは、上方に向かって外側方に広がるようになされており、右の側部４７ｂは、下方に向かって外側方に広がるようになされている。前記側部４７ａ，４７ｂを構成する横棒材４９の内側縁を包絡する仮想面は傾斜面となされている。このような構成により、食事用具Ｂを収納具に収納した場合、左の側部４７ａに対向する食事用具Ｂは該左の側部４７ａにもたれ掛り傾斜状態となる。他方、右の側部４７ｂに対向する食事用具Ｂは該右の側部４７ｂに位置規制されて該右の側部４７ｂと対向する部分（左の側部４７ａ）にもたれ掛り傾斜状態となる。【選択図】      図４
2006280575.tif 000002
【特許請求の範囲】
【請求項１】
洗浄室内の下部に設けられた洗浄水噴出用のノズルと、該ノズルの上方に設けられ上部を出し入れ口とした囲い部材を備えた食事用具用の収納具とを有している食器洗い機において、前記囲い部材の一部又は全部が、上方に向かって外側方に広がるように又は下方に向かって外側方に広がるようになされたことを特徴とする食器洗い機。
【請求項２】
前記上方に向かって外側方に広がるようになされた部分と、前記下方に向かって外側方に広がるようになされた部分とが相互に対向している請求項１記載の食器洗い機。
【請求項３】
前記上方に向かって外側方に広がるようになされた部分が相互に対向するようにして２箇所設けられている請求項１記載の食器洗い機。
【請求項４】
前記下方に向かって外側方に広がるようになされた部分が相互に対向するようにして２箇所設けられている請求項１記載の食器洗い機。
【請求項５】
前記上方に向かって外側方に広がるようになされた部分又は下方に向かって外側方に広がるようになされた部分が、水通過開口を隔てて上下に配された複数の横棒材によって構成されている請求項１乃至４のいずれかひとつに記載の食器洗い機。
【請求項６】
前記収納具の近傍に洗剤トレーが設けられている請求項１乃至５のいずれかひとつに記載の食器洗い機。
【請求項７】
前記洗浄室内の下部に位置するヒータと、該ヒータの近傍の前記洗浄室の側壁に形成された送出口に外気を送るファンと、前記洗浄室内の空気を排出する排気口とが設けられ、前記送出口と対向する前記洗浄室の側壁の近傍に前記収納具が配されている請求項１乃至６のいずれかひとつに記載の食器洗い機。
【請求項８】
前記収納具は前記洗浄室内に取外し可能に支持してある請求項１乃至７のいずれかひとつに記載の食器洗い機。
【発明の詳細な説明】
【技術分野】
【０００１】
本発明は食器洗い機に関する。
【背景技術】
【０００２】
食器洗い機として特許文献１に示すものが知られている。
即ち、食器洗い機は、筐体と、該筐体内に設けられた洗浄室とを有している。前記筐体と洗浄室とは共通の食器及び箸・ナイフ・フォーク等の食事用具の出し入れ口を有している。前記洗浄室内の下部に洗浄水噴出用のノズルが設けられ、該ノズルより上方に位置して、洗浄室内に食器かごが出し入れ口から出し入れ可能なように水平動自在に収納されている。該食器かごに食事用具を収納する収納具が設けられている。該収納具は、底部と、該底部の周縁に設けられた上部を出し入れ口とした鉛直な囲い部材とを有している。前記底部及び囲い部材には洗浄水の通過を許容するための多数の開口が形成されている。また、前記洗浄室内の下部には洗浄水及び洗浄室内の空気を加熱するヒータが設けられ、該ヒータの近傍に位置するようにして洗浄室の側壁に送出口が形成されている。該送出口にファンの吐出口がダクトを介して接続されており、前記ファンは外気を吸引して、送出口から洗浄室内に送出する。前記洗浄室及び筐体には洗浄室内の空気を排出する排気口が設けられている。
【０００３】
このような構成により、前記ノズルから噴射される洗浄水により食器かごに収納された食器及び収納具に収納された食事用具を洗浄し、前記ファンにより洗浄室内に導入された空気をヒータで加熱して前記食器・食事用具を乾燥することが出来る。
【特許文献１】特開２００４−８１８８０号公報
【発明の開示】
【発明が解決しようとする課題】
【０００４】
前記従来の食器洗い機には以下の如き問題があった。
即ち、従来の収納具は囲い部材（側周部）が鉛直であったため、鉛直な囲い部材に位置規制されて収納具に収納された食事用具は鉛直又はほぼ鉛直となり、そのため、上向きに噴出される洗浄水及び噴出された後落下する洗浄水が食事用具に当たりにくいという問題があった。
【０００５】
本発明は斯かる事情に鑑みてなされたものであり、主たる目的は、収納具に収納された食事用具が傾斜状態となるようにすることにより、食事用具に洗浄水が当たりやすくして、洗浄性能を向上させることが出来る食器洗い機を提供することにある。
本発明の他の目的は、囲い部材の構造を簡単な構造とすることにより、低コストの食器洗い機を提供することにある。
本発明の他の目的は、収納具の近傍に洗剤トレーを設けて、洗浄工程において収納具に収納された食事用具に洗剤を付着させやすくして、食事用具の洗浄を確実に行うことが出来る食器洗い機を提供することにある。
本発明の他の目的は、洗浄室に送り込まれた空気が十分に加熱された後、収納具に至るようにすることにより、収納具に収納された食事用具の乾燥を確実に行うことが出来る食器洗い機を提供することにある。
【課題を解決するための手段】
【０００６】
本発明は前記目的を達成するために以下の如き手段を採用した。
本発明に係る食器洗い機は、洗浄室内の下部に設けられた洗浄水噴出用のノズルと、該ノズルの上方に設けられ上部を出し入れ口とした囲い部材を備えた食事用具用の収納具とを有している食器洗い機において、前記囲い部材の一部又は全部が、上方に向かって外側方に広がるように又は下方に向かって外側方に広がるようになされたことを特徴とする。
【０００７】
本発明に係る食器洗い機は、前記上方に向かって外側方に広がるようになされた部分と、前記下方に向かって外側方に広がるようになされた部分とが相互に対向していることを特徴とする。
【０００８】
本発明に係る食器洗い機は、前記上方に向かって外側方に広がるようになされた部分が相互に対向するようにして２箇所設けられていることを特徴とする。
【０００９】
本発明に係る食器洗い機は、前記下方に向かって外側方に広がるようになされた部分が相互に対向するようにして２箇所設けられていることを特徴とする。
【００１０】
本発明に係る食器洗い機は、前記上方に向かって外側方に広がるようになされた部分又は下方に向かって外側方に広がるようになされた部分が、水通過開口を隔てて上下に配された複数の横棒材によって構成されていることを特徴とする。
【００１１】
本発明に係る食器洗い機は、前記収納具の近傍に洗剤トレーが設けられていることを特徴とする。
【００１２】
本発明に係る食器洗い機は、前記洗浄室内の下部に位置するヒータと、該ヒータの近傍の前記洗浄室の側壁に形成された送出口に外気を送るファンと、前記洗浄室内の空気を排出する排気口とが設けられ、前記送出口と対向する前記洗浄室の側壁の近傍に前記収納具が配されていることを特徴とする。
【００１３】
本発明に係る食器洗い機は、前記収納具は前記洗浄室内に取外し可能に支持してあることを特徴とする。
【発明の効果】
【００１４】
本発明によれば、囲い部材の一部又は全部が上方に向かって外側方に広がるようになされているので、食事用具を収納具に収納した場合、前記部分に対向する食事用具は該部分にもたれ掛り傾斜状態となるので、洗浄水が食事用具に当たりやすくなり、洗浄性能を向上させることが出来る。また、本発明によれば、囲い部材の一部又は全部が下方に向かって外側方に広がるようになされているので、食事用具を収納具に収納した場合、前記部分に対向する食事用具は該部分に位置規制されて該部分と対向する部分にもたれ掛り傾斜状態となるので、洗浄水が食事用具に当たりやすくなり、洗浄性能を向上させることが出来る。
【００１５】
また、本発明によれば、上方に向かって外側方に広がるようになされた部分が相互に対向するようにして２箇所設けられているので、食事用具を収納具に収納した場合、前記部分に対向する食事用具は該部分にもたれ掛り傾斜状態となり、一方の部分にもたれ掛る食事用具の上端と他方の部分にもたれ掛る食事用具の上端とが相互に離れた状態となるので、洗浄水が食事用具に当たりやすくなり、洗浄性能を向上させることが出来る。
【００１６】
また、本発明によれば、下方に向かって外側方に広がるようになされた部分が相互に対向するようにして２箇所設けられているので、食事用具を収納具に収納した場合、前記部分に対向する食事用具は該部分に位置規制されて囲い部材内で交差して、出し入れ口の縁にもたれ掛ることになるため、一方の出し入れ口の縁にもたれ掛る食事用具の上端と他方の出し入れ口の縁にもたれ掛る食事用具の上端とが相互に離れた状態となるので、洗浄水が食事用具に当たりやすくなり、洗浄性能を向上させることが出来る。
【００１７】
さらに、本発明によれば、上方に向かって外側方に広がるようになされた部分又は下方に向かって外側方に広がるようになされた部分が、水通過開口を隔てて上下に配された複数の横棒材によって構成されているので、前記部分の構造を簡単な構造とすることが出来、コストの低減を図ることが出来る。
【００１８】
また、本発明によれば、収納具の近傍に洗剤トレーが設けられているので、洗浄工程において収納具に収納された食事用具に洗剤を付着させやすくして、食事用具の洗浄を確実に行うことが出来る。
【００１９】
また、本発明によれば、送出口から洗浄室に送り込まれた空気は、ヒータの近傍をヒータに沿って移動してその間にヒータからの熱を受けて十分に加熱された後、収納具に至ることとなるので、収納具に収納された食事用具の乾燥を確実に行うことが出来る。
【００２０】
また、本発明によれば、収納具を取外すことができるため、洗浄用途に応じて使い分けることができる。
【発明を実施するための最良の形態】
【００２１】
以下に本発明の実施の形態を説明する。
［第１の実施の形態］
図１は本発明の第１の実施の形態を示す正面断面図、図２は図１のＩＩ−ＩＩ線拡大断面図である。図１及び図２に示すごとく、本発明に係る食器洗い機は、筐体２と、該筐体２内に設けられた洗浄室３とを有している。前記筐体２と洗浄室３とは共通の出し入れ口５を有しており、該出し入れ口５は蓋体６により開閉自在となされている。該蓋体６は、図２に実線で示す閉じた位置と二点鎖線で示す開いた位置との間で揺動するように筐体２に揺動アーム（図示略）を介して枢着されている。
【００２２】
前記洗浄室３は、左右の側壁８，８と、底壁１０と、後壁１１と、頂壁１２と、前記出し入れ口５の下方の前壁１３とを有している。前記底壁１０の前部は側面視において略Ｌ字状となされ、該部分と前壁１３と左右の側壁８，８の下部とにより貯水槽９が構成されている。
【００２３】
前記底壁１０に、洗浄水を噴出する２つのノズル７が水平旋回自在に設けられている。該ノズル７は洗浄水の流れのエネルギによって水平旋回させられる。
【００２４】
図２に示すごとく、前記貯水槽９の後壁９ａの右側部の後方にはモータ１４によって作動させられるポンプ１５が設けられ、該ポンプ１５の吸込口が吸込管１６に接続され、該吸込管１６は後壁９ａの前方に位置させられ、下端に吸込開口１７を有している。前記ポンプ１５の吐出口には、出口を２個有する切換弁（図示略）の入口が接続されており、該切換弁の一方の出口は前記ノズル７の入口に導管（図示略）を介して接続され、前記切換弁の他方の出口は排水管（図示略）に接続されている。
【００２５】
図１に示すごとく、前記左の側壁８の下部にヒータ１９が貯水槽９に嵌入する状態で水平状に設けられ、該ヒータ１９は金属製の多孔板からなるヒータカバー２０によって覆われている。該ヒータカバー２０は、ヒータ１９の上方に位置する水平部２０ａと、該水平部２０ａの右端に垂下状に設けられた垂下部２０ｂとを有している。該垂下部２０ｂの下端よりやや左の部分から右の側壁８に渡って、貯水槽９の下部に段落部２１が形成され、該段落部２１を覆うように上下２つのフィルタ２２，２２が設けられている。
【００２６】
図３は図１のＩＩＩ−ＩＩＩ線拡大断面図である。図１及び図３に示すごとく、前記左の側壁８の下部に送出口２５がヒータ１９の上方に位置して形成されている。該送出口２５はダクト２６を介してファン２７の吐出口２８に接続されている。該ファン２７はモータ（図示略）によって作動させられ、吸込口２９より外気を吸引して送出口２５から洗浄室３内に空気を送り込む。
【００２７】
前記洗浄室３の頂壁１２及び筐体２の頂壁に排気口３１が形成されている。
【００２８】
前記洗浄室３の左右の側壁８，８の下部に、左右一対の張出部３４，３４が形成され、該張出部３４，３４の水平上面３４ａ，３４ａはノズル７の上方に位置する。前記水平上面３４ａ，３４ａに下側の食器かご３５が前後方向に出し入れ自在に載置されている。また、前記洗浄室３の左右の側壁８，８の上部に、左右一対の張出部３７，３７が形成され、該張出部３７，３７の水平上面３７ａ，３７ａに上側の食器かご３８が前後方向に出し入れ自在に載置されている。前記食器かご３５，３８は金属製の線材により構成されている。下側の食器かご３５の中央部及び左側部には食器Ａ（例えば皿）を前後方向に並ぶように支持する支持具３９が設けられている。上側の食器かご３８には食器Ａ（例えばコップ）が載せられるようになされている。
【００２９】
図４は図１のα部分の拡大断面図である。図１、図２及び図４に示すごとく、前記下側の食器かご３５の右側に収納具ホルダ４０が設けられている。該収納具ホルダ４０は、正面視略Ｕ字状の前後一対の保持部材４１によって構成されており、該保持部材４１は上端を左側に向けて傾斜している。
【００３０】
前記収納具ホルダ４０に食事用具用の収納具４３が、上端を左側に向けて傾斜した状態で着脱自在に取り付け、換言すれば保持部材４１の内側に取外し可能に嵌入支持されている。図面においては食事用具Ｂとして一番良く使用される箸を二点鎖線で描いている。
【００３１】
前記収納具４３は合成樹脂製であって、全体として見た場合前後方向に長い直方体状をしている。前記収納具４３は、多数の水通過開口４４Ａを備えた底部４５と、多数の水通過開口４４Ｂを備え且つ上部を出し入れ口４８とした囲い部材４７とを有している。
【００３２】
前記底部４５は、正面視で山形をしていて、左側部４５ａと、該左側部４５ａの右部に段差部４５ｃを形成するようにして連設された右側部４５ｂとを有している。前記囲い部材４７は、左右の側部４７ａ，４７ｂと前後の側部４７ｃ，４７ｃと有している。前記左右の側部４７ａ，４７ｂ各々は、水通過開口４４Ｂを隔てて上下に配された複数の横棒材４９によって構成されている。
【００３３】
前記前後の側部４７ｃは、中央の支柱５１と、該支柱５１に左右に突出するようにして横棒材４９に対応して連設されたアーム５２とを有し、前後の対向するアーム５２に横棒材４９が連設されている。
【００３４】
前記収納具４３の内部には、前後方向に内部を分割するように、仕切体５３が設けられている。該仕切体５３は前記前後の側部４７ｃと同様の形状をしている。
【００３５】
前記収納具４３が上端を左側に向けて傾斜した状態となされることにより、前記左の側部４７ａは上方に向かって外側方に広がるようになされており、前記右の側部４７ｂは、下方に向かって外側方に広がるようになされている。前記側部４７ａ，４７ｂを構成する横棒材４９の内側縁を包絡する仮想面は傾斜面となされている。このような構成により、食事用具Ｂを収納具に収納した場合、左の側部４７ａに対向する食事用具Ｂは該左の側部４７ａにもたれ掛り傾斜状態となる。他方、右の側部４７ｂに対向する食事用具Ｂは該右の側部４７ｂに位置規制されて該右の側部４７ｂと対向する部分（左の側部４７ａ）にもたれ掛り傾斜状態となる。
【００３６】
前記収納具４３の右側の前後部中央部に合成樹脂製の洗剤トレー５５が連設されている。該洗剤トレー５５は、粉末の洗剤を載置する平面形状矩形の平坦部５５ａと、該平坦部５５ａの右側に連設された平面形状矩形の傾斜部５５ｂとを有している。前記傾斜部５５ｂの下面に２つのブラケット５６が設けられ、該ブラケット５６に形成された切欠き５７が、下側の食器かご３５の右側の上部縁材に着脱自在に嵌まるようになされている。
【００３７】
次に、第１の実施の形態の作用を説明する。
蓋体６を開いて、洗浄室３内の食器かご３５、３８に食器Ａを収納し、また、収納具４３に食事用具Ｂを収納する。その後、洗剤トレー５５に粉末洗剤を載せる。その後、蓋体６を閉じてスタートスイッチを入れると、制御装置の作動により以下の工程が行われる。
【００３８】
給水弁（図示略）が開かれて、水道管に接続された給水管（図示略）から洗浄水が貯水槽９に給水され、洗浄に必要な設定量の洗浄水が貯水槽９に溜まると、水位センサー（図示略）が作動して、給水弁は閉じられる。
【００３９】
その後、ポンプ１５が作動して、ポンプ１５は貯水槽９の洗浄水を吸引してノズル７に送り込む。ノズル７に送り込まれた洗浄水は噴出口から食器Ａ及び食事用具Ｂに噴射され、その洗浄水によって、更に、噴出された後落下する洗浄水によって食器Ａ及び食事用具Ｂは洗浄される。その際、洗浄水は洗剤を溶かす。食事用具Ｂは前記のごとく傾斜状態となっているので、洗浄水は食事用具Ｂによく当たる。食器Ａ及び食事用具Ｂに噴射された洗浄水は貯水槽９に戻り、再び食器Ａ及び食事用具Ｂに噴射される。この際、ヒータ１９を作動して洗浄水を加熱することもある。そして、設定時間が経過すると、一旦ポンプ１５は停止し、ポンプ１５の吐出口に設けられた切換弁は、ノズル７への給水を断ち、排水管へ洗浄水を導く状態となる。その後、ポンプ１５が作動して汚れた洗浄水が排出される。洗浄水の排水が完了すると、切換弁は排水管を閉じて、ノズル７への給水が可能な状態とする。
【００４０】
その後、給水弁が開かれて給水管から洗浄水が貯水槽９に給水され、すすぎに必要な設定量の洗浄水が貯水槽９に溜まると、水位センサーが作動して、給水弁は閉じられる。その後、洗浄時と同様にして食器Ａ及び食事用具Ｂのすすぎ工程が行われる。この際、ヒータ１９を作動して洗浄水を加熱することもある。そして、設定時間が経過すると、一旦ポンプ１５は停止し、ポンプ１５の吐出口に設けられた切換弁が、ノズル７への給水を断ち、排水管へ水を導く状態となる。その後、ポンプ１５が作動して汚れた洗浄水が排出される。前記すすぎ工程は数回繰り返される。
【００４１】
設定回数のすすぎ工程が完了すると、ヒータ１９及びファン２７が作動して、洗浄室３内に外気が導入される。洗浄室３内に至った空気はヒータ１９によって加熱され、食器Ａ及び食事用具Ｂを乾燥し、その後、排気口３１より排出される。そして、設定時間が経過すると、ヒータ１９及びファン２７が停止して、全工程が完了する。
【００４２】
［第２の実施の形態］
図５は本発明の第２の実施の形態を示す要部縦断面図である。本実施の形態の収納具６１の底部４５は平坦である。該収納具６１の左右の側部４７ａ，４７ｂは、上方に向かって外側方に広がるようになされている。このような構成により、食事用具Ｂを収納具６１に収納した場合、前記左の側部４７ａに対向する食事用具Ｂは該左の側部４７ａにもたれ掛り傾斜状態となり、前記右の側部４７ｂに対向する食事用具Ｂは該右の側部４７ｂにもたれ掛り傾斜状態となり、左の食事用具Ｂの上端と右の食事用具Ｂの上端とは相互に離れた状態となる。
前記収納具ホルダー４０の保持部材４１は収納具６１の下部の正面視外形に沿う形状になされている。
【００４３】
なお、その他の構成及び作用は第１の実施の形態と同様であるため、同様の構成については同じ符号を付し、その詳細な説明及び作用の説明を省略する。
【００４４】
［第３の実施の形態］
図６は本発明の第３の実施の形態を示す要部縦断面図である。本実施の形態の収納具６３の底部４５は平坦である。該収納具６３の左右の側部４７ａ，４７ｂは、下方に向かって外側方に広がるようになされている。前記底部４５の周縁部には立ち上がり壁６４が形成されている。このような構成により、食事用具Ｂを収納具６３に収納した場合、食事用具Ｂは左右の側部４７ａ，４７ｂに位置規制されて囲い部材４７内で交差して、出し入れ口４８の左右の縁にもたれ掛ることになるため、出し入れ口４８の左の縁にもたれ掛る食事用具Ｂの上端と出し入れ口４８の右の縁にもたれ掛る食事用具Ｂの上端とが相互に離れた状態となる。
【００４５】
なお、その他の構成及び作用は第１の実施の形態と同様であるため、同様の構成については同じ符号を付し、その詳細な説明及び作用の説明を省略する。
【００４６】
前記洗剤トレー５５の位置は、収納具４３、６１、６３の近傍であれば、収納具４３、６１、６３の左でも右でもよい。また、洗剤トレー５５の形状は任意である。収納具は、逆角錐台状、逆円錐台状、角錐台状又は円錐台状であってもよい。
【図面の簡単な説明】
【００４７】
【図１】本発明の第１の実施の形態を示す正面断面図である。
【図２】図１のＩＩ−ＩＩ線拡大断面図である。
【図３】図１のＩＩＩ−ＩＩＩ線拡大断面図である。
【図４】図１のα部分の拡大断面図である。
【図５】本発明の第２の実施の形態を示す要部縦断面図である。
【図６】本発明の第３の実施の形態を示す要部縦断面図である。
【符号の説明】
【００４８】
３  洗浄室
７  ノズル
４３  収納具
４７  囲い部材
４７ａ  左の側部
４７ｂ  右の側部
４８  出し入れ口
【図１】
2006280575.tif 000003
【図２】
2006280575.tif 000004
【図３】
2006280575.tif 000005
【図４】
2006280575.tif 000006
【図５】
2006280575.tif 000007
【図６】
2006280575.tif 000008